【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
プロセス制御システムにおいてビジュアルオブジェクト図の一部を非表示にする方法であって、
ビジュアルオブジェクト図内の第１の機能ブロックを非表示にする選択を受信するステップであって、前記第１の機能ブロックは第１のビューパラメータに関連するステップと、
前記ビジュアルオブジェクト図内の前記第１の機能ブロック内のプロセス制御パラメータから、第２の機能ブロック内の第１の交差点へのリンクを決定するステップであって、前記リンクは第２のビューパラメータに関連するステップと、
前記第１のビューパラメータおよび前記第２のビューパラメータを、前記第１の交差点に結合させるステップと、
前記リンクおよび前記第１の機能ブロックを非表示にするステップと、
を含む、方法。
【請求項２】
前記第１の交差点に対応する前記第２の機能ブロック内のリンクされた指示を表示するステップと、
前記リンクされた指示に隣接する前記プロセス制御パラメータまたは前記第１の機能ブロックのうちの少なくとも１つのビジュアル表現を表示するステップと、
をさらに含む、請求項１に記載の方法。
【請求項３】
前記ビジュアル表現は、前記プロセス制御パラメータの値、前記プロセス制御パラメータの名称、前記プロセス制御パラメータのステータス、前記プロセス制御パラメータの識別番号、前記プロセス制御パラメータの位置、前記第１の機能ブロックの名称、または前記第１の機能ブロックの識別番号のうちの少なくとも１つを含む、請求項２に記載の方法。
【請求項４】
前記リンクは、前記第１の機能ブロック内の前記プロセス制御パラメータが、規定されたキープロセス制御パラメータに対応することを識別することによって決定される、請求項１〜請求項３の何れか１項に記載の方法。
【請求項５】
前記キープロセス制御パラメータは、前記第２の機能ブロックに結合するように規定されている、請求項１〜請求項４の何れか１項に記載の方法。
【請求項６】
前記第１のビューパラメータは、前記第１の機能ブロックに対応する第１のデータパラメータに関連し、前記第２のビューパラメータは、前記リンクに対応する第２のデータパラメータに関連する、請求項１〜請求項５の何れか１項に記載の方法。
【請求項７】
前記第１の機能ブロック内の第２の交差点から、第３の機能ブロック内の第２のプロセス制御パラメータへの第２のリンクが存在するかどうかを決定するステップと、
前記第３の機能ブロックが非表示にされるかどうかを決定するステップと、
をさらに含む、請求項１〜請求項６の何れか１項に記載の方法。
【請求項８】
前記第２のリンクに対応する第３のビューパラメータを、前記第２の交差点に結合させるステップと、
前記第２の交差点を、前記第１の交差点に結合させるステップと、
前記第３の機能ブロックが非表示にされる場合は、前記第３の機能ブロックに対応する第４のビューパラメータを、前記第２の交差点に結合させ、前記第２のリンクおよび前記第３の機能ブロックを非表示にするステップと、
前記第３の機能ブロックが非表示にされない場合は、前記第１の交差点に対応する前記リンクされた指示に結合された前記第２のリンクを表示するステップと、
をさらに含む、請求項１〜請求項７の何れか１項に記載の方法。
【請求項９】
前記第１の機能ブロック内の第２のプロセス制御パラメータから、前記第２の機能ブロック内の第２の交差点への第２のリンクを決定するステップであって、前記第２のリンクは第３のビューパラメータに関連するステップと、
前記第３のビューパラメータを、前記第１の交差点に結合させるステップと、
前記第２のリンクを非表示にするステップと、
前記第１の交差点に対応する前記第２の機能ブロック内のリンクされた指示を表示するステップと、
前記リンクされた指示に隣接する前記第２のプロセス制御パラメータまたは前記第１の機能ブロックのうちの少なくとも１つのビジュアル表現を表示するステップと、
をさらに含む、請求項１〜請求項８の何れか１項に記載の方法。
【請求項１０】
前記第２の機能ブロックが非表示にされるかどうかを決定するステップであって、前記第２の機能ブロックは第３のビューパラメータに関連するステップと、
前記ビジュアルオブジェクト図内の前記第２の機能ブロック内の第２のプロセス制御パラメータから、第３の機能ブロック内の第２の交差点への第２のリンクを決定するステップであって、前記第２のリンクは第４のビューパラメータに関連するステップと、
前記第３のビューパラメータおよび前記第４のビューパラメータを、前記第２の交差点に結合させるステップと、
前記第２のリンクおよび前記第２の機能ブロックを非表示にするステップと、
をさらに含む、請求項１〜請求項９の何れか１項に記載の方法。
【請求項１１】
前記第２の交差点に対応する前記第３の機能ブロック内のリンクされた指示を表示するステップと、
前記リンクされた指示に隣接する前記第２のプロセス制御パラメータまたは前記第２の機能ブロックのうちの少なくとも１つのビジュアル表現を表示するステップと、
をさらに含む、請求項１０に記載の方法。
【請求項１２】
前記第１の機能ブロックおよび前記リンクを非表示にするステップは、前記第１の機能ブロックおよび前記リンクを表示から除去するステップ、前記第１の機能ブロックおよび前記リンクを前記ビジュアルオブジェクト図から除去するステップ、または前記第１の機能ブロックに関連する前記第１のビューパラメータ内の非表示フラグおよび前記リンクに関連する前記第２のビューパラメータ内の非表示フラグを設定するステップ、のうちの少なくとも１つを含む、請求項１〜請求項１１の何れか１項に記載の方法。
【請求項１３】
プロセス制御システムにおいて、ビジュアルオブジェクト図の一部を非表示にするための装置であって、
第１の機能ブロックは第１のビューパラメータに関連し、リンクは第２のビューパラメータに関連する、ビジュアルオブジェクト図内の、非表示にされるように選択された前記第１の機能ブロック内のプロセス制御パラメータから、第２の機能ブロック内の第１の交差点への前記リンクを決定し、
および、
前記リンクおよび前記第１の機能ブロックを非表示にする、
機能ブロックマネージャと、
前記第１のビューパラメータおよび前記第２のビューパラメータを、前記第１の交差点に結合させるためのビューパラメータマネージャと、
を含む、装置。
【請求項１４】
前記ビジュアルオブジェクト図内の前記第１の機能ブロックを非表示にする選択を受信し、かつ、
前記第１の機能ブロックの前記受信した選択を、前記機能ブロックマネージャに転送する、
入力受信機、
をさらに含む、請求項１３に記載の装置。
【請求項１５】
前記ビューパラメータマネージャは、前記第１の機能ブロックが非表示にされるという指示を前記第１のビューパラメータ内に格納し、前記リンクが非表示にされるという指示を前記第２のビューパラメータ内に格納する、請求項１３又は請求項１４に記載の装置。
【請求項１６】
前記機能ブロックマネージャは、
前記第１の機能ブロック内の第２のプロセス制御パラメータから、前記第２の機能ブロック内の第２の交差点への第２のリンクであって、第３のビューパラメータに関連する第２のリンクを決定し、かつ
前記第２のリンクを非表示にする、
請求項１３〜請求項１５の何れか１項に記載の装置。
【請求項１７】
前記ビューパラメータマネージャは、前記第３のビューパラメータを、前記第１の交差点に結合させる、
請求項１６に記載の装置。
【請求項１８】
前記機能ブロックマネージャは、
前記第２の機能ブロックは第３のビューパラメータに関連しており、前記第２の機能ブロックが非表示にされるかどうかを決定し、
前記ビジュアルオブジェクト図内の前記第２の機能ブロック内の第２のプロセス制御パラメータから、第３の機能ブロック内の第２の交差点への第２のリンクであって、第４のビューパラメータに関連する、第２のリンクを決定し、かつ、
前記第２のリンクおよび前記第２の機能ブロックを非表示にする、
請求項１３〜請求項１７の何れか１項に記載の装置。
【請求項１９】
実行されると、機械に、
ビジュアルオブジェクト図内の第１の機能ブロックであって、第１のビューパラメータに関連する、第１の機能ブロックを非表示にする選択を受信させ、
前記ビジュアルオブジェクト図内の前記第１の機能ブロック内のプロセス制御パラメー
タから、第２の機能ブロック内の第１の交差点へのリンクであって、第２のビューパラメータに関連する、リンクを決定させ、
前記第１のビューパラメータおよび前記第２のビューパラメータを、前記第１の交差点に結合させ、かつ、
前記リンクおよび前記第１の機能ブロックを非表示にさせる、
命令をその中に有する機械アクセス可能媒体。
【請求項２０】
前記機械アクセス可能命令は、実行されると、前記機械に、前記第１の機能ブロック内の前記プロセス制御パラメータが規定されたキープロセス制御パラメータに対応することを識別することによって、前記リンクを決定させる、請求項１９に記載の機械アクセス可能媒体。
【請求項２１】
前記機械アクセス可能命令は、実行されると、前記機械に、前記第１のビューパラメータおよび前記第２のビューパラメータを、前記第２の機能ブロックに関連する第３のビューパラメータに結合させることによって、前記第１のビューパラメータおよび前記第２のビューパラメータを前記第１の交差点に結合させる、請求項１９又は請求項２０に記載の機械アクセス可能媒体。
【請求項２２】
前記機械アクセス可能命令は、実行されると、前記機械に、前記第１の機能ブロックが非表示にされるという指示を前記第１のビューパラメータ内に格納させ、前記リンクが非表示にされるという指示を前記第２のビューパラメータ内に格納させる、請求項１９〜請求項２１の何れか１項に記載の機械アクセス可能媒体。
【請求項２３】
前記機械アクセス可能命令は、実行されると、前記機械に、
前記第１の機能ブロック内の第２のプロセス制御パラメータから、前記第２の機能ブロ
ック内の第２の交差点への第２のリンクであって、第３のビューパラメータに関連する、第２のリンクを決定させ、
前記第３のビューパラメータを、前記第１の交差点に結合させ、
前記第２のリンクを非表示にさせ、
前記第１の交差点に対応する前記第２の機能ブロック内のリンクされた指示を表示させ、かつ、
前記リンクされた指示に隣接する前記第２のプロセス制御パラメータまたは前記第１の機能ブロックのうちの少なくとも１つのビジュアル表現を表示させる、
請求項１９〜請求項２２の何れか１項に記載の機械アクセス可能媒体。
【請求項２４】
前記機械アクセス可能命令は、実行されると、前記機械に、前記ビジュアルオブジェクト図が再び開かれた場合に、前記ビジュアルオブジェクト図を閉じさせ、前記第１の機能ブロックおよび前記リンクを非表示にさせる、
請求項１９〜請求項２３の何れか１項に記載の機械アクセス可能媒体。